(57)【要約】      （修正有）【課題】中間後分岐作業における光ファイバ心線の取り出し性を悪化させることなく、ケーブルの耐圧強度を上げたチューブ型の光ファイバケーブルおよびその製造方法を提供する。【解決手段】光ファイバケーブル１ａは、集合した複数の光ファイバテープ心線１１ａ等の光ファイバ心線を収納したケーブルコア１１と、ケーブルコア１１を覆うチューブ型の外被１２と、を備える。そして、外被１２の断面は複数の中空部分１２ｂを有する。【選択図】図２Ａ
2015215400.tif 000002
【特許請求の範囲】
【請求項１】
集合した複数の光ファイバ心線を収納したケーブルコアと、該ケーブルコアを覆うチューブ型の外被と、を備えた光ファイバケーブルであって、
前記外被の断面は複数の中空部分を有する、光ファイバケーブル。
【請求項２】
前記複数の中空部分は前記外被の断面において円周上に均等に配される、請求項１に記載の光ファイバケーブル。
【請求項３】
前記中空部分は前記外被の内周面に連通している、請求項１又は２に記載の光ファイバケーブル。
【請求項４】
前記外被の材料として、破断強度が２０ＭＰａ以上でヤング率が５００ＭＰａ以上の高密度ポリエチレンを使用した、請求項１〜３のいずれか１項に記載の光ファイバケーブル。
【請求項５】
前記複数の中空部分の少なくとも１つに前記外被を引き裂くための引き裂き紐を備えた、請求項１〜４のいずれか１項に記載の光ファイバケーブル。
【請求項６】
前記ケーブルコアの外周面側であって前記外被の内周面側に、前記外被の材料よりも破断強度の低い材料のチューブ型被覆を備えた、請求項１〜５のいずれか１項に記載の光ファイバケーブル。
【請求項７】
前記複数の中空部分に前記外被の材料よりも破断強度の低い材料を充填させた、請求項１〜６のいずれか１項に記載の光ファイバケーブル。
【請求項８】
集合した複数の光ファイバ心線を収納したケーブルコアと、該ケーブルコアを覆うチューブ型の外被と、を備えた光ファイバケーブルを製造する製造方法であって、
前記ケーブルコアを形成するステップと、
該ステップで形成された前記ケーブルコアの周囲で、前記外被の断面が複数の中空部分を有するように前記外被を押し出し成形するステップと、
を含む、光ファイバケーブルの製造方法。
【発明の詳細な説明】
【技術分野】
【０００１】
本発明は、複数の光ファイバ心線を収納したチューブ型の光ファイバケーブルとその製造方法に関する。
【背景技術】
【０００２】
多心の光ファイバケーブルとして、スロット（スペーサとも呼ばれる）を使用しない所謂スロットレス型の光ファイバケーブルが知られており、中空チューブ状に加工した外被（シース）であるチューブ型の外被が施されることから、チューブ型の光ファイバケーブルと呼ばれている。そして、このような構造の光ファイバケーブルは、細径化などの理由から近年増加傾向にある。
【０００３】
例えば、特許文献１には、チューブ型の光ファイバケーブルにおいて、中間後分岐作業で切断した光ファイバケーブルの引き留め作業を容易にする技術が開示されている。なお、中間後分岐作業とは、光ファイバケーブルの任意のポイントから光ファイバケーブルを切断せずに光ファイバ心線を取り出す作業を指す。
【０００４】
図１に示すこの光ファイバケーブル１００は、集合した複数の光ファイバテープ心線１１ａの周囲に介在１１ｂを配置してなるケーブルコア１１と、ケーブルコア１１の周囲に設けた外被１０２とを有し、テンションを受け持つ２本のテンションメンバ１０４が外被１０２に埋め込まれている。そして外被１０２の内面に、光ファイバケーブル１００の長手方向に伸びるノッチ１０５ａ，１０５ｂを有している。このノッチ１０５ａ，１０５ｂは、２本のテンションメンバ１０４のそれぞれに対応して２つずつ設けられ、１つのテンションメンバ１０４に対応する２つのノッチ１０５ａ，１０５ｂは、光ファイバケーブル１００の周方向に１つのテンションメンバ１０４を挟んで両側に設けられている。
【先行技術文献】
【特許文献】
【０００５】
【特許文献１】特開２０１２−１６８３８０号公報
【発明の概要】
【発明が解決しようとする課題】
【０００６】
ところで、光ファイバケーブルは、布設時及び布設後に外部から圧力が加わる場合があり、耐圧強度を上げて耐圧性を或る一定以上に保つ必要がある。従って、チューブ型の光ファイバケーブルにおいても、耐圧性を保つ必要があり、そのために外被厚さを厚くするといった工夫や外被材料の強度を上げるといった工夫がなされている。
【０００７】
しかしながら、特許文献１に記載の技術をはじめとする従来技術によるチューブ型の光ファイバケーブルでは、ケーブルの耐圧強度を上げると、外被の引裂力が上がって外被が破け難くなり、中間後分岐作業における光ファイバ心線の取り出し性が悪化してしまう。
【０００８】
本発明は、上述のごとき実状に鑑みてなされたものであり、その目的は、チューブ型の光ファイバケーブルにおいて、中間後分岐作業における光ファイバ心線の取り出し性を悪化させることなくケーブルの耐圧強度を上げることにある。
【課題を解決するための手段】
【０００９】
本発明の光ファイバケーブルは、集合した複数の光ファイバ心線を収納したケーブルコアと、上記ケーブルコアを覆うチューブ型の外被と、を備えた光ファイバケーブルであって、上記外被の断面は複数の中空部分を有するものである。
【００１０】
また、本発明の光ファイバケーブルの製造方法は、集合した複数の光ファイバ心線を収納したケーブルコアと、上記ケーブルコアを覆うチューブ型の外被と、を備えた光ファイバケーブルを製造する製造方法であって、上記ケーブルコアを形成するステップと、上記ステップで形成された上記ケーブルコアの周囲で、上記外被の断面が複数の中空部分を有するように上記外被を押し出し成形するステップと、を含むものである。
【発明の効果】
【００１１】
本発明によれば、チューブ型の光ファイバケーブルにおいて、中間後分岐作業における光ファイバ心線の取り出し性を悪化させることなくケーブルの耐圧強度を上げることができる。
【図面の簡単な説明】
【００１２】
【図１】従来技術（特許文献１に記載の技術）による光ファイバケーブルを示す断面図である。
【図２Ａ】本発明の実施形態に係る光ファイバケーブルの一例を示す断面図である。
【図２Ｂ】図２Ａの光ファイバケーブルの一部拡大図である。
【図３】本発明の実施形態に係る光ファイバケーブルの他の例を示す断面図である。
【図４】本発明の実施形態に係る光ファイバケーブルの他の例を示す断面図である。
【図５】本発明の実施形態に係る光ファイバケーブルの他の例を示す断面図である。
【図６】図２Ａの光ファイバケーブルと従来の光ファイバケーブルとについて耐圧力及び引張力を試験した結果を示す図である。
【発明を実施するための形態】
【００１３】
［本発明の実施形態の説明］
最初に本願発明の実施形態の内容を列記して説明する。
（１）本発明の一形態に係る光ファイバケーブルは、集合した複数の光ファイバ心線を収納したケーブルコアと、上記ケーブルコアを覆うチューブ型の外被と、を備えた光ファイバケーブルであって、上記外被の断面は複数の中空部分を有するものである。これにより、チューブ型の光ファイバケーブルにおいて、中間後分岐作業における光ファイバ心線の取り出し性を悪化させることなくケーブルの耐圧強度を上げることができる。
【００１４】
（２）上記（１）の光ファイバケーブルにおいて、上記複数の中空部分は上記外被の断面において円周上に均等に配されることが好ましい。これにより、光ファイバケーブルの全周にわたって同様の耐圧強度を持たせることができる。
【００１５】
（３）上記（１）又は（２）の光ファイバケーブルにおいて、上記中空部分は上記外被の内周面に連通しているようにしてもよい。これにより、外被の製造を容易にすることができる。
【００１６】
（４）上記（１）〜（３）のいずれか１の光ファイバケーブルにおいて、上記外被の材料として、破断強度が２０ＭＰａ以上でヤング率が５００ＭＰａ以上の高密度ポリエチレンを使用することが好ましい。これにより、光ファイバケーブルを外部に設置するに際して十分な耐圧強度を持たせることができる。
【００１７】
（５）上記（１）〜（４）のいずれか１の光ファイバケーブルにおいて、上記複数の中空部分の少なくとも１つに上記外被を引き裂くための引き裂き紐を備えることが好ましい。これにより、光ファイバケーブルの解体作業が容易になる。
【００１８】
（６）上記（１）〜（５）のいずれか１の光ファイバケーブルにおいて、上記ケーブルコアの外周面側であって上記外被の内周面側に、上記外被の材料よりも破断強度の低い材料のチューブ型被覆を備えることが好ましい。これにより、光ファイバ心線の取り出し性をさほど悪化させることなく、光ファイバケーブルの耐圧強度をさらに上げることができる。
【００１９】
（７）上記（１）〜（６）のいずれか１の光ファイバケーブルにおいて、上記複数の中空部分に上記外被の材料よりも破断強度の低い材料を充填させることもできる。これにより、中空部分と同様の効果を持たせることができる。
【００２０】
（８）本発明の他の形態に係る、光ファイバケーブルの製造方法は、集合した複数の光ファイバ心線を収納したケーブルコアと、上記ケーブルコアを覆うチューブ型の外被と、を備えた光ファイバケーブルを製造する製造方法であって、上記ケーブルコアを形成するステップと、上記ステップで形成された上記ケーブルコアの周囲で、上記外被の断面が複数の中空部分を有するように上記外被を押し出し成形するステップと、を含むものである。これにより、中間後分岐作業における光ファイバ心線の取り出し性を悪化させることなくケーブルの耐圧強度を上げることが可能なチューブ型の光ファイバケーブルを製造することができる。
【００２１】
［本発明の実施形態の詳細］
本発明の実施形態に係る光ファイバケーブル及びその製造方法の具体例を、以下に図２Ａ〜図６を参照しつつ説明する。図２Ａは、本実施形態に係る光ファイバケーブルの一例を示す断面図で、図２Ｂは、図２Ａの光ファイバケーブルの一部拡大図である。
【００２２】
図２Ａで例示する光ファイバケーブル１ａは、ケーブルコア１１と、ケーブルコア１１を覆うチューブ型の外被１２と、を備えたチューブ型の光ファイバケーブルである。なお、光ファイバケーブル１ａには、テンションを受け持つテンションメンバ（図示せず）を、例えば外被１２に複数本埋め込んでもよい。
【００２３】
ケーブルコア１１は、集合した複数の光ファイバテープ心線１１ａの周囲に介在１１ｂを配置してなる。なお、介在１１ｂは設けなくてもよい。本例の光ファイバテープ心線１１ａは、単心の光ファイバ心線を４心並列し一括被覆してテープ状に形成したテープ心線であり、ここでは６枚の光ファイバテープ心線１１ａが積層されている。光ファイバテープ心線１１ａにおいて収納される単心の光ファイバ心線の心数や積層数はこれに限ったものではない。なお、光ファイバテープ心線１１ａは、積層後、光ファイバケーブル１ａの長手方向に一方向撚りなどに捻回させてもよいし、そのままストレートに積層したものであってもよい。
【００２４】
また、光ファイバケーブル１ａに収納される光ファイバ心線は、光ファイバテープ心線１１ａに限らず、単心の光ファイバ心線を集合させたものや光ファイバ心線を束ねて一体化した多心ユニットであってもよいし、その多心ユニットを複数集合させたものであってもよい。また、集合させる光ファイバ心線の心数は限定されない。ここで、単心の光ファイバ心線は、ガラスファイバにファイバ被覆を施した光ファイバ素線とも言われているもの、或いはそのファイバ被覆の外面に着色層を施したものを含めた単心の光ファイバ（光ファイバ単心線）、或いはマルチコアの光ファイバを指す。
【００２５】
介在１１ｂとしては、例えば樹脂の単繊維からなるヤーンを用いることができ、光ファイバテープ心線１１ａの周囲にヤーンを集合させて配置することができる。ヤーンは光ファイバテープ心線１１ａの緩衝材として働く。介在１１ｂの素材や形態は特に限定されることはなく、適宜最適な素材等を選択することができる。例えば、積層した複数の光ファイバテープ心線１１ａの周囲にテープ材を横巻き又は縦添えしてもよい。このテープ材の基材としては例えばＰＥＴ（Polyethylene terephthalate）などの樹脂材料の基材を用いることができるが、基材材料は限定されない。
【００２６】
介在１１ｂの周囲には外被１２が被覆成形され、ケーブルコア１１と外被１２とを一体化して光ファイバテープ心線１１ａの長手方向のずれを抑える。このように、外被１２は、ケーブルコア１１の周囲に設けることでケーブルコア１１を覆う。
【００２７】
そして、本実施形態の主たる特徴として、外被１２の断面には複数の中空部分を有している。この中空部分の形状についてはいくつかの具体例を挙げて後述するが、どのような形状であってもよい。なお、この中空部分は、光ファイバケーブル１ａの長手方向に一方向撚りなどに捻回させて形成してもよいが、長手方向にそのままストレートに形成しておけば済む。
【００２８】
このような中空部分の存在により、外被１２の材料の耐圧強度を保ったままに光ファイバテープ心線１１ａの取り出し性を上げることができる。換言すれば、チューブ型の光ファイバケーブル１ａにおいて、中間後分岐作業における光ファイバテープ心線１１ａの取り出し性を悪化させることなくケーブルの耐圧強度を上げることができる。光ファイバテープ心線１１ａの取り出しは、中空部分を設けた位置に対応する外被１２の表面をカンナ等で削ることで容易に実行できる。光ファイバテープ心線１１ａを取り出した後は、テープを切断してそこに収納された単心の光ファイバ心線を取り出せばよい。
【００２９】
また、外被１２の材料として、破断強度が２０ＭＰａ以上でヤング率が５００ＭＰａ以上の高密度ポリエチレンを使用することが好ましい。これにより、光ファイバケーブル１ａを外部に設置するに際して十分な耐圧強度を持たせることができる。無論、この条件に当てはまらない高密度ポリエチレンであっても、或いは低密度ポリエチレンなどの他の材料を用いたとしても、中空部分の存在により、その材料の耐圧強度をできるだけ生かして光ファイバテープ心線１１ａの取り出し性を上げることができる。
【００３０】
次に、中空部分の形状について、その具体例を挙げて説明する。図２Ａで例示する外被１２の断面には、複数の中空部分１２ｂが設けられている。この外被１２の断面は、その内側領域において、矩形の凸部１２ａを設けて隣り合う凸部同士を接触させるように曲げたような形状（つまり凸部１２ａ間で生じる凹部が略三角形状になるような形状）を有している。凸部１２ａは非中空部分に相当し、この略三角形状となった凹部が中空部分１２ｂに相当することになる。
【００３１】
このような形状により、外被１２の外側から圧力が加わった場合でも、凸部同士が干渉することになるため、外被１２の形状が変形し難く（潰れ難く）なり、もって光ファイバケーブル１ａも変形し難くなる。また、外被１２を裂く場合には、上述したように、外被１２が薄くなっている中空部分１２ｂの位置に対応する表面を選んでカンナ等で削ればよく、これにより外被除去性が向上する。
【００３２】
このような形状の寸法について、図２Ｂを参照しながら説明する。外被１２は、凸部１２ａの高さをｄ、凸部１２ａの幅をＷ、上記凹部の溝幅をｉ、外被１２の内径（凸部１２ａの角を接線とする等価内径）の半径をｒとした場合、以下の関係式を保てば、効果的に潰れ量を抑えることが可能となる。なお、凸部１２ａの幅Ｗは、隣り合う凸部１２ａの中央部分間の間隔から上記凹部の溝幅ｉを差し引いたものとなる。
（Ｗ／ｉ）×ｄ≧ｒ、    ｉ≦ｄ
【００３３】
この関係式の第１式は、上記凹部の底辺（幅ｉ）と上記凹部の高さに相当する２辺（高さｄ）とで形成される略三角形における鋭角（外被１２の内周面側に位置する点の鋭角）が、外被１２の中心に該当する点Ｏと凸部１２ａの上辺（幅Ｗ）の両端とを結んで形成される略三角形の点Ｏでの鋭角以下になっていればよいという式である。
【００３４】
また、図２Ａ，図２Ｂで例示したように矩形の凸部１２ａにより中空部分１２ｂを形成した場合、矩形の凸部１２ａの先端同士を干渉させることで変形し難くさせるため、その材料（つまり外被１２の材料）は凸部１２ａの先端が変形し難いよう、或る程度の強度が必要になる。通常、光ファイバケーブルの外被はヤング率が２５０Ｍｐａ程度の低密度ポリエチレンが使用されるが、このような理由からヤング率が倍以上を有する中密度から高密度ポリエチレン等を適用することが望ましい。
【００３５】
また、図２Ａで例示するように、複数の中空部分１２ｂは外被１２の断面において円周上に均等に配されることが好ましい。これにより、光ファイバケーブル１ａの全周にわたって同様の耐圧強度を持たせることができる。但し、均等に配さなくても、耐圧強度を保ったまま、中空部分を設けた位置の外被１２の表面をカンナ等で削ることで、容易に光ファイバテープ心線１１ａを取り出すことが可能となる。
【００３６】
また、光ファイバケーブル１ａは、複数の中空部分１２ｂの少なくとも１つに外被１２を引き裂くための引き裂き紐１３を備えることが好ましい。これにより、中間後分岐作業等において光ファイバ心線を取り出す際、カンナ等で削った後に引き裂き紐１３を引くことにより外被１２を引き裂き、外被１２の一部が割れたような状態か、中空部分１２ｂの内周側の僅かな部分だけを手やカッターを用いて引き裂くだけで済む状態にすることができ、光ファイバケーブル１ａの解体作業が容易になる。
【００３７】
引き裂き紐１３は、例えばケブラー（登録商標）などの素材によって作成しておけばよい。また、引き裂き紐１３を入れる位置には、外被１２の表面に着色を施すなどしておけば、それを目安としてカンナなどで外被１２の表面を削るだけで、引き裂き紐を容易に見つけることができる。また、引き裂き紐１３を複数本入れる場合には、円周上に均等に配置しておくことが好ましいが、これに限ったものではない。
【００３８】
次に、上述したような様々な光ファイバケーブル１ａの製造方法について簡単に説明する。この製造方法では、まず、複数の光ファイバテープ心線１１ａを集合させ、その周囲に介在１１ｂを配置することでケーブルコア１１を形成する。次に、形成されたケーブルコア１１の周囲で、外被１２の断面が複数の中空部分１２ｂを有するように外被１２を押し出し成形する。押し出し成形するためのダイスの形状は、その断面で説明すると、図２Ａにおける直径２ｒの円と中空部分１２ｂとそれらを連通させるための連通口に相当する部分とでなる内周側と、外被１２の外周面でなる外周側と、を有している。実際には押し出し成形後、樹脂の収縮を考慮してダイスの寸法を決めておけばよい。
【００３９】
このような製造方法により、上述したような効果を奏するチューブ型の光ファイバケーブル１ａを、容易に製造することができる。なお、ケーブルコア１１の最外周には、押え巻きのテープや粗巻き紐などを設けてその上から外被１２を施す処理を行い易くしておいてもよい。また、引き裂き紐１３を設ける場合には、押し出し成形時にそれを入れる位置に、樹脂と共に引き裂き紐１３を挿入していけばよい。なお、押し出し成形の初期段階では、外被１２の先端部分の樹脂が硬化する位置まで引き裂き紐１３を引っ張っておけばよい。
【００４０】
ここで、図２Ｂにおける凸部１２ａ同士が接触する部分Ｍは、接触せずに外被１２の内周面に連通していてもよい。つまり、中空部分は外被１２の内周面に連通していなくてもよいし、連通していてもよい。連通していても同様の効果を奏するためであり、連通を許容することで、上述したようなダイスを用いた外被１２の押し出し成形を、精度上容易にすることができる。連通しないように中空部分１２ｂを形成させる場合にも、樹脂の硬化後に隣り合う凸部１２ａが接触するような寸法のダイスを採用しておけば、容易に中空部分１２ｂを形成させることができる。
【００４１】
次に、図３を参照しながら、光ファイバケーブルの他の例を説明する。図３は、本実施形態に係る光ファイバケーブルの他の例を示す断面図である。本例の光ファイバケーブル１ｂについて、図２Ａ，図２Ｂの光ファイバケーブル１ａと異なる点のみを説明するが、他の点については同様である。
【００４２】
図３に示す光ファイバケーブル１ｂは、ケーブルコア１１の外周面側であって外被１２の内周面側にチューブ型被覆１４を備えている。ここで、チューブ型被覆１４としては外被１２の材料よりも破断強度の低い、例えば発泡ポリエチレン等の材料を採用することで、外被引裂力に大きな影響を与えることはない。このように外被を２層構造にすることで、光ファイバテープ心線１１ａの取り出し性をさほど悪化させることなく、光ファイバケーブル１ｂの耐圧強度をさらに上げることができる。
【００４３】
また、凸部１２ａ同士の境目や、中空部分１２ｂが外被１２の内周面側と連通する場合の連通口と凸部１２ａとの境目がはっきりと存在した状態で、ケーブルコア１１を収納した場合、ケーブルコア１１内の光ファイバ心線の収納状態によってはその境目で光ファイバ心線が挟まり損失増加若しくは破断する可能性が懸念される。しかし、チューブ型被覆１４を設けることで、その内面側で収納するケーブルコア１１に均等に接触させることができるため、そのような境目を埋めて光ファイバ心線に対する影響を防ぐことができる。
【００４４】
また、チューブ型被覆１４を採用した場合の製造方法については、チューブ型被覆１４を外被１２の押し出し位置で或いはそれより手前で押し出し成形するなどにより、容易に形成することができる。
【００４５】
さらに、光ファイバケーブル１ｂでは、複数の中空部分１２ｂに材料１５を充填させている。ここで、材料１５としては外被１２の材料よりも破断強度の低い、例えば発泡ポリエチレン等の軟質材料を採用することで、外被引裂力に大きな影響を与えることはない。これにより、中空部分１２ｂが充填されていない場合と同様、外被１２を裂け易くできるといった効果を奏しつつ、ケーブルの耐圧強度を上げることができる。なお、このような充填は、外被の２層構造と併用しなくてもよい。
【００４６】
また、材料１５を採用した場合の製造方法については、上述したダイスにおける中空部分１２ｂに対応する部分において、その部分を中空にして材料１５の樹脂を流し込むようにすればよい。
【００４７】
次に、図４，図５を参照しながら、光ファイバケーブルの他の例を説明する。図４，図５は、本実施形態に係る光ファイバケーブルの他の例を示す断面図である。図４に示す光ファイバケーブル１ｃ、図５に示す光ファイバケーブル１ｄについて、基本的にそれぞれ図２Ａ，図２Ｂの光ファイバケーブル１ａ、図３の光ファイバケーブル１ｂと異なる点のみを説明するが、他の点については同様である。
【００４８】
光ファイバケーブル１ｃ，１ｄは、それぞれ光ファイバケーブル１ａ，１ｂにおいて、外被１２の断面が、凸部１２ｃが凸部１２ａのような矩形ではなく、中空部分１２ｄが中空部分１２ｂのように略三角形ではなくドロップ型をしている。製造に際しては上記ダイスの略三角形の部分をドロップ型にすればよい。また、光ファイバケーブル１ｃ，１ｄにおいても、隣り合う凸部１２ｃ同士は、接触していてもよいし、接触せずに連通口を有する状態であってもよい。また、光ファイバケーブル１ｄでは、光ファイバケーブル１ｂと異なり、中空部分１２ｄに材料１５を充填していないが、同様に充填させてもよい。
【００４９】
最後に、図６を参照しながら、本実施形態に係る光ファイバケーブルによる効果について説明する。図６は、図２Ａの光ファイバケーブル１ａと従来の光ファイバケーブルとについて耐圧力及び引張力を試験した結果を示す図である。
【００５０】
試験は、従来のサンプルＡ，Ｂ、及び本実施形態のサンプルＣについて行った。サンプルＡの外被材料には、ヤング率が２５０ＭＰａ、破断強度が１４ＭＰａの低密度ポリエチレンを用いた。サンプルＢの外被材料には、ヤング率が７５０ＭＰａ、破断強度が２５ＮＰａの高密度ポリエチレンを用いた。サンプルＣの外被材料には、ヤング率が７５０ＭＰａ、破断強度が２５ＭＰａの高密度ポリエチレンを用いた。ここで破断強度は、ＪＩＳ（Japanese Industrial Standards） Ｋ ６２５１に基づいて測定した値である。
【００５１】
サンプルＡ，Ｂ，Ｃのいずれについても、外被の外径（チューブ外径）を２０ｍｍ、チューブ内径を１３ｍｍとした。なお、サンプルＣについては、凸部の角を接線とする円の内径２ｒをチューブ内径とした。また、サンプルＡ，Ｂの外被厚さはいずれも３．５ｍｍとした。サンプルＣについては、外被最薄部厚さを１．２ｍｍとし、凸部高さｄを２．３ｍｍとし、合計で外被の厚さを３．５ｍｍとした。また、サンプルＣについては、凸部幅Ｗを１．７ｍｍ、凹部幅ｉを０．６ｍｍとした。
【００５２】
このようなサンプルＡ，Ｂ，Ｃについて、外被に２０Ｎ／ｍｍの圧力を加えた時に外径がどの程度潰れるかを示す潰れ量を測定した。その結果、潰れ量は、サンプルＡが約８．０ｍｍ、サンプルＢが約２．７ｍｍ、サンプルＣが約４．０ｍｍとなった。また、実際に引き裂き紐で引っ張り外被を裂くことができる力を、外被引裂力として測定した。その結果、外被引裂力は、サンプルＡが１００Ｎ、サンプルＢが３００Ｎ、サンプルＣが１００Ｎとなった。
【００５３】
このように、サンプルＣの構造の場合、同じヤング率、破断強度、外被厚さを持つサンプルＢと比較すると、凸部１２ａ同士の干渉により潰れ量が抑えられ且つ外被引裂力を１／３にすることができているのが分かる。また、サンプルＣの構造の場合、従来の低密度ポリエチレンを使用したサンプルＡとほぼ同等の外被引裂力にすることができているのが分かる。外被引裂力が同じになるのは、サンプルＣでは、外部引裂力に関係する外被最薄部厚さがサンプルＡの外被厚さの約１／３しかないが、サンプルＡに比べて３倍のヤング率を持たせているためである。
【００５４】
以上では、略三角形の中空部分１２ｂを外被１２に有する光ファイバケーブル１ａについての試験結果を示したが、チューブ型被覆１４及び／又は材料１５の充填を施した場合や、図４，図５のように中空部分１２ｄの形状をドロップ型にした場合や他の形状にした場合でも、同様の傾向が見られた。
【００５５】
今回開示された実施の形態は全ての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００５６】
１ａ，１ｂ，１ｃ，１ｄ…光ファイバケーブル、１１…ケーブルコア、１１ａ…光ファイバテープ心線、１１ｂ…介在、１２…外被、１２ａ，１２ｃ…凸部、１２ｂ，１２ｄ…中空部分、１３…引き裂き紐、１４…チューブ型被覆、１５…材料。
【図１】
2015215400.tif 000003
【図２Ａ】
2015215400.tif 000004
【図２Ｂ】
2015215400.tif 000005
【図３】
2015215400.tif 000006
【図４】
2015215400.tif 000007
【図５】
2015215400.tif 000008
【図６】
2015215400.tif 000009